(57)【特許請求の範囲】
【請求項１】
壁又は天井に固定されたボルトに、不陸調整金具によってランナ支持金具を取付け、ランナ支持金具のボルトを挟んだ両側にそれぞれランナを取付け、不陸調整金具を回転させてランナの不陸を調整し、最後にランナにスタッドを取付けることを特徴とする下地材の施工方法。
【請求項２】
壁又は天井に固定されたボルトに挿入される穴が形成され、前記穴を挟んで両側にランナを保持する保持手段がそれぞれ形成されたことを特徴とする下地材の施工金具。
【請求項３】
前記保持手段は、前記ランナの側板を一方向から保持する保持片と、前記ランナを前記一方向とは反対の方向から固定する固定片とから成る請求項２に記載の施工金具。
【発明の詳細な説明】
【０００１】
【発明の属する技術分野】
本発明は、天井や壁の下地材の施工方法及び施工金具に関する。
【０００２】
【従来の技術】
ふかし壁（片面壁）に求められる機能として、▲１▼層間変位１／５０を満たすこと（壁の高さの１／５０だけ横に移動させたときに壁が破壊されないこと）、▲２▼できるだけ薄いこと、▲３▼高く施工できること等が挙げられる。各メーカーとも色々な工法や部材を提案しているが、上記機能の中には、壁を薄くすると高さに対応できなくなるというように両立しないものもあり、上記全部の機能を満たすものは少なく、あったとしても高価なものが多かった。
【０００３】
一方、天井の場合、最近のマンションは室内空間は広く、総高さはできるだけ低くする傾向にある。したがって、天井とスラブとの空間は小さくなってきているため、天井を組むのに必要なスペースが確保できなくなってしまい、施工が難しくなってきている。しかも、通常の施工方法ではスラブから天井仕上げ面まで短くなったといっても精々５０mmが限界であった。
【０００４】
【発明が解決しようとする課題】
本発明は、仕上げ面までの距離ができるだけ短く、しかも層間変位にも十分対応可能で、施工も容易な施工方法及び施工金具を提供することを課題とする。
【０００５】
【課題を解決するための手段】
上記課題を解決するため、本発明の施工方法においては、壁又は天井に固定されたボルトに、不陸調整金具によってランナ支持金具を取付け、ランナ支持金具のボルトを挟んだ両側にそれぞれランナを取付け、不陸調整金具を回転させてランナの不陸を調整し、最後にランナにスタッドを取付けるようにした。
【０００６】
また、本発明の施工金具は、壁又は天井に固定されたボルトに挿入される穴が形成され、前記穴を挟んで両側にランナを保持する保持手段がそれぞれ形成されたことを特徴とする。前記保持手段は、前記ランナの側板を一方向から保持する保持片と、前記ランナを前記一方向とは反対の方向から固定する固定片とで構成することができる。
【０００７】
【発明の実施の形態】
図１〜図３は、本発明による施工金具の一例を示し、図４，５は下地材（ランナ、スタッド）を施工した状態を示す。以下、本発明を壁の施工方法に適用する例で説明するが、本発明はそれに限らず、天井等の施工にも適用可能である。
【０００８】
図４，５に示すように、床部及び天井部には断面コの字形状のランナ１，３を配置し、このランナ１，３間にスタッドを等間隔に配置するが、このときランナ１とランナ３との間隔を複数（図４では２つ）に分割し、分割したところに断面コの字形状の中間ランナ５，７を配置する。中間ランナ５，７の間には一定の間隙を設け、ランナ１と中間ランナ５との間及びランナ３と中間ランナ７との間にスタッド９を等間隔に配置する。以上のように配置したランナ１，３，５，７及びスタッド９の上に仕上げ材３５（図１）を貼り付けて壁を完成させる。
【０００９】
中間ランナ５，７は、金属製のランナ支持金具１１に取付けられ、ランナ支持金具１１は、コンクリート面１３に一端を固定されたインサートボルト１５に、不陸調整金具１７とナット１９によって固定される。不陸調整金具１７の形状（実施例では円板状）は特に限定されず、その中心にはインサートボルト１７と螺合するネジ穴１７ａが形成されている。
【００１０】
ランナ支持金具１１の中心には、インサートボルト１５が挿入される長穴２１が形成され、穴２１を挟んで上下両側にランナ５，７の側板を保持する保持片２３，２５がそれぞれ形成されている。保持片２３は、ランナ支持金具１１にコの字形状にスリットを入れてその部分を突出させて形成したもので、その一端２３ａはランナ支持金具１１と連続しており、他端２３ｂは自由端になっていて、他端２３ｂの側から中間ランナ５の側板５ａ（図５）を挟み込む。そのため、保持片２３の他端２３ｂは若干上方へ反っていてランナ５の側板５ａが導入され易くなっている。保持片２５も、保持片２３と同様に構成されている（但し、向きは逆である）。
【００１１】
保持片２３の下側（図１（Ｃ）、図２の下側）にはランナ支持金具１１の両側に固定片２７，２９が形成されている。固定片２７，２９は、それぞれ中間ライナ５の底板５ｂ（図５）を押える押え板２７ａ，２９ａと、押え板に連続する支持板２７ｂ，２９ｂとをＬ字形に曲げて構成されたもので、支持板２７ｂ，２９ｂはランナ支持金具１１本体と連続している。支持板２７ｂ，２９ｂとランナ支持金具１１との連結部には折曲げを容易にするための長穴２７ｃ，２９ｃがそれぞれ形成されている。保持片２５の上側（図１（Ｃ）、図２の上側）にはランナ支持金具１１の両側に固定片３１，３３が形成され、固定片３１，３３は固定片２７，２９と同様に構成されている（但し、向きは逆である）。
【００１２】
次に本発明の施工方法について説明する。
まず、コンクリート面１３に一端を固定されたインサートボルト１５に不陸調整金具１７を取付け、ランナ支持金具１１を挿入しナット１９で軽く締める。次に、中間ランナ５を取付けるが、その際中間ランナ５の一側板５ａ（図５）を保持片２３とランナ支持金具１１本体との間に挟み、その後、固定片２７，２９を長穴２７ｃ，２９ｃを境にして内側に折り曲げる。すると、押え板２７ａ，２９ａによって中間ランナ５の底板５ｂ（図５）が押えられ、中間ランナ５は保持片２３によって上から押えられ、固定片２７，２９によって下から押えられ、しっかり保持される。中間ランナ７も同様にしてランナ支持金具１１に固定する。図３は、その様子を示し、中間ランナ７の一側板７ａを保持片２５に挿入した後、固定片３３を長穴３３ｃで折曲げ、押え板３３ａで中間ランナ７の底板７ｂを押えて中間ランナ７を上下から押えて保持している。
【００１３】
次に、不陸調整金具１７を回転させて、中間ランナ５，７とコンクリート面１３との距離を調整して壁面が平になるように調整する。次いで、各ランナ間にスタッド９を取付ける。最後に仕上げ材３５（図１（Ａ））を張り付けて壁を完成させる。
【００１４】
以上のようにすれば、コンクリート面１３と仕上げ材３５との間にはランナ、ランナ支持金具、不陸調整金具しか介在しないので、その距離を従来の施工方法に比べてはるかに短く（例えば４０mm以下）することができる。また、図４に示すように、下地材は上下の２つの部分に分割されるので追随性が良くなり、地震等による層間変位を吸収することができ、層間変位１／５０に十分に対応することができる。さらに、不陸調整金具１７を表側から操作でき、しかも回転させるだけで簡単にふかし量を調整することができるので、施工が速く容易になる。さらに、ランナ支持金具を使用して接続していけば壁の高さに制限はなく高い壁でも施工することができる（従来の施工方法では強度の点から壁の高さには制限があった）。
【００１５】
もちろん、上記方法は天井等の施工にも利用でき、そうすればスラブから天井面の距離を最短にして、総高さは低くても室内空間の広いマンション等を実現することが可能となる。
【００１６】
【発明の効果】
以上説明したように、本発明によれば、壁・天井を薄くできる、層間変位に対応できる、施工が速く容易になる等の効果が得られる。
【図面の簡単な説明】
【図１】本発明の施工方法に用いられる金具を示す図であり、（Ａ）平面図、（Ｂ）は側面図、（Ｃ）は正面図。
【図２】施工金具の斜視図。
【図３】ランナの取付け例を示す図。
【図４】本発明の方法によって施工した下地材の完成図。
【図５】図４の金具部分を拡大して示した図。
【符号の説明】
１，３  ランナ
５，７  中間ランナ
９  スタッド
１１  ランナ支持金具
１３  コンクリート面
１５  インサートボルト
１７  不陸調整金具
１９  ナット
２１  長穴
２３，２５  保持片
２７，２９，３１，３３  固定片
３５  仕上げ材
【図１】
0003890224.tif 000002
【図２】
0003890224.tif 000003
【図３】
0003890224.tif 000004
【図４】
0003890224.tif 000005
【図５】
0003890224.tif 000006